(57)【要約】【課題】建物の外壁に取り付けられたサンルームの上階のバルコニーがある場合でも天井面からの採光性を確保することができるサンルームを提供すること。【解決手段】サンルーム１は、サンルーム部２とバルコニー部３を有し、バルコニー部３はサンルーム部２の上方に設けられ、バルコニー部３の床面３１はサンルーム部２の天井面を構成し、バルコニー部３の床面３１は光透過性を有することを特徴とする。【選択図】図１
2008144560.tif 000002
【特許請求の範囲】
【請求項１】
サンルーム部とバルコニー部を有し、
前記バルコニー部は、前記サンルーム部の上方に設けられ、
前記バルコニー部の床面は、前記サンルーム部の天井面を構成し、
前記バルコニー部の前記床面は光透過性を有することを特徴とするサンルーム。
【請求項２】
サンルーム部とバルコニー部を有し、
前記バルコニー部は、前記サンルーム部の上方に設けられ、
前記バルコニー部の床面は、前記サンルーム部の天井面と離間して空気層を挟むようにして設けられており、
前記バルコニー部の前記床面は光透過性を有し、
前記サンルーム部の前記天井面は半透明であることを特徴とするサンルーム。
【請求項３】
前記サンルーム部と前記バルコニー部の建物接合柱は単一の支柱から構成されている請求項１又は請求項２記載のサンルーム。
【請求項４】
前記建物接合柱には前記サンルーム部のデッキ側部ブラケット、前記バルコニー部のデッキ側部ブラケット、及び前記バルコニー部の手すり側部ブラケットが固定されていることを特徴とする請求項３記載のサンルーム。
【請求項５】
前記サンルーム部の側面部材は前記バルコニー部の前記床面の荷重を分担支持するように前記バルコニー部のデッキ側部ブラケットの直下に配置されていることを特徴とする請求項４記載のサンルーム。
【請求項６】
前記建物接合柱は、前記バルコニー部の雨排水用の縦樋を内装している請求項３記載のサンルーム。
【発明の詳細な説明】
【技術分野】
【０００１】  本発明は、建物の外壁に取り付けられるサンルームに関する。
【背景技術】
【０００２】  従来、建物の外壁に取り付けられるサンルームの多くは、正面、両側面、および天井面が透明又は半透明のガラスやアクリル板等により構成されている。
【発明の開示】
【発明が解決しようとする課題】
【０００３】  上記のようなサンルームを建物の１階部分の外壁に設けた場合、このサンルームの天井面の上部に建物の２階のバルコニーがあるとサンルームへの日射が遮られてしまうという問題点があった。即ち、バルコニーの床部により日射が遮断されてしまうために、サンルームの天井面がこのバルコニーの床部の影に入ってしまう。【０００４】  上記問題に鑑み、本発明は、建物の外壁に取り付けられたサンルームの上階のバルコニーがある場合でも天井面からの採光性を確保することができるサンルームを提供することを目的とする。
【課題を解決するための手段】
【０００５】  本発明に係るサンルームは、サンルーム部とバルコニー部を有し、前記バルコニー部は、前記サンルーム部の上方に設けられ、
前記バルコニー部の床面は、前記サンルーム部の天井面を構成し、前記バルコニー部の前記床面は光透過性を有することを特徴とする。【０００６】  本発明に係るサンルームは、サンルーム部とバルコニー部を有し、前記バルコニー部は、前記サンルーム部の上方に設けられ、前記バルコニー部の床面は、前記サンルーム部の天井面と離間して空気層を挟むようにして設けられており、前記バルコニー部の前記床面は光透過性を有し、前記サンルーム部の前記天井面は半透明であることを特徴とする。【０００７】  さらに、本発明に係るサンルームは、前記サンルーム部と前記バルコニー部の建物接合柱が単一の支柱から構成されていることが好ましい。【０００８】  さらに、本発明に係るサンルームは、前記建物接合柱には前記サンルーム部のデッキ側部ブラケット、前記バルコニー部のデッキ側部ブラケット、及び前記バルコニー部の手すり側部ブラケットが固定されていることが好ましい。【０００９】  さらに、本発明に係るサンルームは、前記サンルーム部の側面部材が前記バルコニー部の前記床面の荷重を分担支持するように前記バルコニー部のデッキ側部ブラケットの直下に配置されていることが好ましい。【００１０】  さらに、本発明に係るサンルームは、前記建物接合柱が、前記バルコニー部の雨排水用の縦樋を内装していることが好ましい。
【発明の効果】
【００１１】  請求項１記載の本発明に係るサンルームは、バルコニー部がサンルーム部の上方に設けられ、バルコニー部の床面がサンルーム部の天井面を構成し、床面が光透過性を有することを特徴としている。このため、サンルーム部の上部にバルコニー部が設けられているにもかかわらず、サンルーム部への日射がバルコニー部の床面によって遮られることがなく、十分な採光性を確保することができる。【００１２】  請求項２記載の本発明に係るサンルームは、バルコニー部の床面とサンルーム部の天井面とを離間して空気層を挟むように設け、床面は光透過性を有し、また、サンルーム部の天井面は半透明であることを特徴とする。バルコニー部の床面が汚れた場合でも、サンルーム部の天井面が半透明であるために、その汚れがサンルーム部の内部からははっきりと視認することができないという利点がある。また、空気層はバルコニー部の床面とサンルーム部の天井面との間の熱伝導を妨げ、サンルーム部の天井面に発生する結露を減少させる効果を有する。【００１３】  請求項３記載の本発明に係るサンルームは、サンルーム部とバルコニー部の建物接合柱が単一の支柱から構成されている。従って、建物への取り付け作業が非常に容易であると共に強度に優れ、外観にもすっきりとした印象を与えることができる。【００１４】  請求項４記載の本発明に係るサンルームは、建物接合柱にはサンルーム部のデッキ側部ブラケット、バルコニー部のデッキ側部ブラケット、及びバルコニー部の手すり側部ブラケットが固定されていることを特徴とする。建物接合柱に、サンルームのすべての側部ブラケットが固定されているため、サンルーム全体の剛性を向上することができると共に、生産性及び施工性に優れるという利点がある。【００１５】  請求項５記載の本発明に係るサンルームは、サンルーム部の側面部材がバルコニー部の床面の荷重を分担支持するようにバルコニー部のデッキ側部ブラケットの直下に配置されていることを特徴とする。サンルーム部の側面部材に荷重を分担させることにより、バルコニーの床の剛性を確保することができるため、支柱の数を減少させることができる。【００１６】  請求項６記載の本発明に係るサンルームは、建物接合柱がバルコニー部の雨排水用の縦樋を内装している。バルコニー部の縦樋が内装されているため、シンプルな外観を提供することが可能となり、また、優れた施工性を実現している。
【発明を実施するための最良の形態】
【００１７】  以下、図１ないし図２を参照しつつ本発明の実施形態について詳細に説明する。本実施形態のサンルーム１は、サンルーム部２とバルコニー部３を有し、バルコニー部３はサンルーム部２の上方に設けられ、バルコニー部３の床面３１はサンルーム部２の天井面を構成し、バルコニー部３の床面３１は光透過性を有することを特徴とする。【００１８】  サンルーム部２は、建物の開口部Ａに設けられており、後述するバルコニー部３と共に、単一の支柱である建物接合柱１１により建物の１階部分に取り付けられている。サンルーム部２は、デッキ部２１、両側の側面部材である側方ガラス２２、正面ガラス２３、及び正面ガラス引き戸２４を有し、全体として直方体形状となっている。【００１９】  サンルーム部２のデッキ部２１は、両側に配置されているデッキ側部ブラケット１１ａと正面側に配置されているデッキ正面ブラケット１１ｄにより支持されている。両側に配置されている側方ガラス２２は、後述するバルコニー部３のデッキ部３１の荷重を分担支持するようにバルコニー部３のデッキ側部ブラケット１１ｂの直下に配置されており、その下辺部はサンルーム２のデッキ側部ブラケット１１ａにより支持されている。正面ガラス２３は、後述するバルコニー部３のデッキ正面ブラケット１１ｅに上辺部が支持され、その下辺部はサンルーム２のデッキ正面ブラケット１１ｄにより支持されている。なお、正面ガラス引き戸２４は、その両側に配置されている正面ガラス２３の間において開閉可能となっている。【００２０】  バルコニー部３は、建物の２階部分のガラス引き戸Ｂの正面において、建物接合柱１１によって取り付けられている。バルコニー部３は、床面３１、両側の側面部材である側方ガラス３２、及び正面ガラス３３を有している。これら床面３１、側方ガラス３２、及び正面ガラス３３は光透過性を有しているために、バルコニー部３の光遮蔽性は最小限度に抑えられている。【００２１】  バルコニー部３の床面３１は十分な強度を有する厚手のガラス製等であり、サンルーム部２の天井面を構成している。この床面３１は、バルコニー部３のデッキ側部ブラケット１１ｂ、デッキ正面ブラケット１１ｅ、及びデッキ背面ブラケット１１ｇにより支持されている。側方ガラス３２は、バルコニー部３の手すり側部ブラケット１１ｃに上辺部が支持され、その下辺部はデッキ側部ブラケット１１ｂにより支持されている。正面ガラス３３は、バルコニー部３の手すり正面ブラケット１１ｆに上辺部が支持され、その下辺部はデッキ正面ブラケット１１ｅにより支持されている。【００２２】  建物接合柱１１は内部空間（図示せず）を有する鋼材を合成樹脂製のカバー部材等で覆ったものであり、サンルーム部２のデッキ側部ブラケット１１ａ、バルコニー部３のデッキ側部ブラケット１１ｂ、及びバルコニー部３の手すり側部ブラケット１１ｃが固定されている。即ち、これらブラケット１１ａ、１１ｂ、１１ｃは、略Ｅ字型になるように建物接合柱１１に取り付けられている。【００２３】  また、建物接合柱１１の上記内部空間内には合成樹脂製等のパイプ材による縦樋（図示せず）が設けられている。この縦樋の上端はバルコニー部３の床面３１の側部に開口し、その下端���地面直上に開口している。この縦樋によりバルコニー部３の雨水を排水することができる。【００２４】  以下、本実施形態の作用効果を説明する。
本実施形態のサンルーム１は、バルコニー部３がサンルーム部２の上方に設けられ、バルコニー部３の床面３１がサンルーム部２の天井面を構成し、床面３１が光透過性を有するガラスであることを特徴としている。このため、サンルーム部２の上部にバルコニー部３が設けられているにもかかわらず、サンルーム部２への日射がバルコニー部３の床面３１によって遮られることがなく、十分な採光性を確保することができる。【００２５】  さらに、本実施形態のサンルーム１は、サンルーム部２とバルコニー部３の建物接合柱１１が単一の支柱から構成されている。従って、建物への取り付け作業が非常に容易であると共に強度に優れ、外観にもすっきりとした印象を与えることができる。【００２６】  さらに、本実施形態のサンルーム１は、建物接合柱１１にはサンルーム部２のデッキ側部ブラケット１１ａ、バルコニー部３のデッキ側部ブラケット１１ｂ、及びバルコニー部３の手すり側部ブラケット１１ｃが固定されていることを特徴とする。建物接合柱１１に、サンルーム１のすべての側部ブラケット１１ａ、１１ｂ、１１ｃが固定されているため、サンルーム１全体の剛性を向上することができると共に、生産性及び施工性に優れるという利点がある。【００２７】  さらに、本実施形態のサンルーム１は、サンルーム部２の側面部材である側方ガラス２２がバルコニー部３の床面３１の荷重を分担支持するようにバルコニー部３のデッキ側部ブラケット１１ｂの直下に配置されていることを特徴とする。サンルーム部２の側方ガラス２２に荷重を分担させることにより、バルコニー部３の床の剛性を確保することができるため、支柱の数を減少させることができる。このため、本実施形態においては側方ガラス２２と正面ガラス２３との間に支柱を設ける必要が無い。【００２８】  さらに、本実施形態のサンルーム１は、建物接合柱１１がバルコニー部３の雨排水用の縦樋を内装している。バルコニー部３の縦樋が内装されているため、シンプルな外観を提供することが可能となり、また、優れた施工性を実現している。【００２９】  上記実施形態において、サンルーム部２の側方ガラス２２、正面ガラス２３、及び正面ガラス引き戸２４、また、バルコニー部３の床面３１、側方ガラス３２、及び正面ガラス３３は、すべてガラス製であるが、これら部材の全部又は一部は光透過性のあるアクリル部材等によっても代替可能である。また、光透過性があれば、透明、半透明を問わない。【００３０】  なお、本発明に係る他の実施形態として、図２に示すように、サンルーム部２に天井面２５を設け、バルコニー部３の床面３１とこの天井面２５とを離間して設けることも可能である。床面３１は光透過性を有する材料で構成し、また、サンルーム部の天井面２５は半透明である材料で構成する。本実施形態においては、床面３１が汚れた場合でも、天井面２５が半透明であるために、その汚れがサンルーム部２の内部からははっきりと視認することができないという利点がある。また、空気層はバルコニー部３の床面３１とサンルーム部２の天井面２５との間の熱伝導を妨げ、サンルーム部２の天井面２５に発生する結露を減少させる効果を有する。
【図面の簡単な説明】
【００３１】
【図１】本発明の実施形態に係るサンルーム１の斜視図である。
【図２】本発明の他の実施形態に係るサンルーム１ａの断面図である。
【符号の説明】
【００３２】１、１ａ  サンルーム
１１  建物接合柱
１１ａ、１１ｂ  デッキ側部ブラケット
１１ｃ  手すり側部ブラケット
１１ｄ、１１ｅ  デッキ正面ブラケット
１１ｆ  手すり正面ブラケット
１１ｇ  デッキ背面ブラケット
２  サンルーム部
２１  デッキ部
２２  側方ガラス
２３  正面ガラス
２４  ガラス引き戸
２５  天井面
３  デッキ部
３１  床面
３２  側方ガラス
３３  正面ガラス
Ａ  開口部
Ｂ  ガラス引き戸
【図１】
2008144560.tif 000003
【図２】
2008144560.tif 000004